【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
複数のネットワーク・ノードを備える移動物体のネットワーク内でモバイル・ネットワーク・ノードのハンドオーバを管理およびトリガする方法であって、
前記モバイル・ネットワーク・ノードが、第１無線通信プロトコルを使用して、前記複数のネットワーク・ノードのうち第１ネットワーク・ノードとの第１関連付けを実行するステップであって、前記第１関連付けの結果、前記第１ネットワーク・ノードと、第１データ経路およびバックボーン・ネットワークの間にデータ接続性を提供するリモート・システムと、を接続する前記第１データ経路を生成する、ステップと、
前記モバイル・ネットワーク・ノードの前記第１ネットワーク・ノードとの無線通信の損失の可能性を示す、前記モバイル・ネットワーク・ノードにおける少なくとも１つの条件の存在を判断するステップと、
前記複数のネットワーク・ノードのうち第２ネットワーク・ノードを、前記モバイル・ネットワーク・ノードの１つ以上の特性と、前記第２ネットワーク・ノードの１つ以上の特性と、にしたがって識別するステップと、
前記モバイル・ネットワーク・ノードが、前記第１無線通信プロトコルを使用して、前記第２ネットワーク・ノードとの第２関連付けを実行するステップであって、前記第２関連付けの結果、前記第１ネットワーク・ノードと前記第２ネットワーク・ノードと、を接続する第２データ経路を生成する、ステップと、
前記モバイル・ネットワーク・ノードが、前記第２ネットワーク・ノード、前記第１ネットワーク・ノード、前記第１データ経路、および前記リモート・システムを介して、前記バックボーン・ネットワークに、および前記バックボーン・ネットワークから、データを無線で転送するステップと、
を含む、方法。
【請求項２】
請求項１記載の方法において、
前記モバイル・ネットワーク・ノードの１つ以上の特性が、前記モバイル・ネットワーク・ノードの現在の地理的位置を含み、
前記第２ネットワーク・ノードの１つ以上の特性が、前記第２ネットワーク・ノードの現在の地理的位置を含む、方法。
【請求項３】
請求項１記載の方法において、前記モバイル・ネットワーク・ノードの１つ以上の特性が、前記モバイル・ネットワーク・ノードを搬送する車両の速度を含む、方法。
【請求項４】
請求項１記載の方法において、
前記モバイル・ネットワーク・ノードの１つ以上の特性が、前記モバイル・ネットワーク・ノードを搬送する車両によって移動されているルートを含み、
前記第２ネットワーク・ノードの１つ以上の特性が、前記第２ネットワーク・ノードの現在の地理的位置を含む、方法。
【請求項５】
請求項４記載の方法において、
前記車両が自律型車両であり、
前記移動されているルートが、前記自律型車両のナビゲーション・システムによって前記モバイル・ネットワーク・ノードに提供される、方法。
【請求項６】
請求項１記載の方法において、
前記第２ネットワーク・ノードおよび前記リモート・システムを接続する第３データ経路が、前記第２関連付けに応じて生成され、
前記第１データ経路および前記第２データ経路が、前記第３データ経路の生成の後に、接続解除される、方法。
【請求項７】
請求項１記載の方法において、前記第１ネットワーク・ノードが固定位置にあり、前記第２ネットワーク・ノードがモバイル・ネットワーク・ノードである、方法。
【請求項８】
請求項１記載の方法において、前記モバイル・ネットワーク・ノードにおける前記少なくとも１つの条件が、第１閾値未満である、前記第１ネットワーク・ノードから受信した信号を示す強度指標を含む、方法。
【請求項９】
請求項１記載の方法において、
前記モバイル・ネットワーク・ノードがエンド・ユーザ・デバイスとの無線通信をサポートし、
前記リモート・システムが、該リモート・システムを通じて接続される、対応するエンド・ユーザ・デバイスの地理的位置を監視する、方法。
【請求項１０】
請求項１記載の方法において、前記リモート・システムが、前記第１ネットワーク・ノードとの無線通信から、セルラ・ネットワークの基地局との無線通信へと、前記モバイル・ネットワーク・ノードにおけるシームレスなハンドオーバを可能とする、方法。
【請求項１１】
複数のコード部を備える非一時的コンピュータ可読媒体であって、各前記コード部が１つ以上のプロセッサによって実行可能な複数の命令を含み、該命令が、前記１つ以上のプロセッサに、複数のネットワーク・ノードを備える移動物体のネットワーク内でモバイル・ネットワーク・ノードのハンドオーバを管理およびトリガする方法のステップを実行させ、前記方法のステップが、
前記モバイル・ネットワーク・ノードが、第１無線通信プロトコルを使用して、前記複数のネットワーク・ノードのうち第１ネットワーク・ノードとの第１関連付けを実行するステップであって、前記第１関連付けの結果、前記第１ネットワーク・ノードと、第１データ経路およびバックボーン・ネットワークの間にデータ接続性を提供するリモート・システムと、を接続する前記第１データ経路を生成する、ステップと、
前記モバイル・ネットワーク・ノードの前記第１ネットワーク・ノードとの無線通信の損失の可能性を示す、前記モバイル・ネットワーク・ノードにおける少なくとも１つの条件の存在を判断するステップと、
前記複数のネットワーク・ノードのうち第２ネットワーク・ノードを、前記モバイル・ネットワーク・ノードの１つ以上の特性と、前記第２ネットワーク・ノードの１つ以上の特性と、にしたがって識別するステップと、
前記モバイル・ネットワーク・ノードが、前記第１無線通信プロトコルを使用して、前記第２ネットワーク・ノードとの第２関連付けを実行するステップであって、前記第２関連付けの結果、前記第１ネットワーク・ノードと前記第２ネットワーク・ノードと、を接続する第２データ経路を生成する、ステップと、
前記モバイル・ネットワーク・ノードが、前記第２ネットワーク・ノード、前記第１ネットワーク・ノード、前記第１データ経路、および前記リモート・システムを介して、前記バックボーン・ネットワークに、および前記バックボーン・ネットワークから、データを無線で転送するステップと、
を含む、非一時的コンピュータ可読媒体。
【請求項１２】
請求項１１記載の非一時的コンピュータ可読媒体において、
前記モバイル・ネットワーク・ノードの１つ以上の特性が、前記モバイル・ネットワーク・ノードの現在の地理的位置を含み、
前記第２ネットワーク・ノードの１つ以上の特性が、前記第２ネットワーク・ノードの現在の地理的位置を含む、非一時的コンピュータ可読媒体。
【請求項１３】
請求項１１記載の非一時的コンピュータ可読媒体において、前記モバイル・ネットワーク・ノードの１つ以上の特性が、前記モバイル・ネットワーク・ノードを搬送する車両の速度を含む、非一時的コンピュータ可読媒体。
【請求項１４】
請求項１１記載の非一時的コンピュータ可読媒体において、
前記モバイル・ネットワーク・ノードの１つ以上の特性が、前記モバイル・ネットワーク・ノードを搬送する車両によって移動されているルートを含み、
前記第２ネットワーク・ノードの１つ以上の特性が、前記第２ネットワーク・ノードの現在の地理的位置を含む、非一時的コンピュータ可読媒体。
【請求項１５】
請求項１４記載の非一時的コンピュータ可読媒体において、
前記車両が自律型車両であり、
前記移動されているルートが、前記自律型車両のナビゲーション・システムによって前記モバイル・ネットワーク・ノードに提供される、非一時的コンピュータ可読媒体。
【請求項１６】
請求項１１記載の非一時的コンピュータ可読媒体において、
前記第２ネットワーク・ノードおよび前記リモート・システムを接続する第３データ経路が、前記第２関連付けに応じて生成され、
前記第１データ経路および前記第２データ経路が、前記第３データ経路の生成の後に、接続解除される、非一時的コンピュータ可読媒体。
【請求項１７】
請求項１１記載の非一時的コンピュータ可読媒体において、前記第１ネットワーク・ノードが固定位置にあり、前記第２ネットワーク・ノードがモバイル・ネットワーク・ノードである、非一時的コンピュータ可読媒体。
【請求項１８】
請求項１１記載の非一時的コンピュータ可読媒体において、前記モバイル・ネットワーク・ノードにおける前記少なくとも１つの条件が、第１閾値未満である、前記第１ネットワーク・ノードから受信した信号を示す強度指標を含む、非一時的コンピュータ可読媒体。
【請求項１９】
請求項１１記載の非一時的コンピュータ可読媒体において、
前記モバイル・ネットワーク・ノードがエンド・ユーザ・デバイスとの無線通信をサポートし、
前記リモート・システムが、該リモート・システムを通じて接続される、対応するエンド・ユーザ・デバイスの地理的位置を監視する、非一時的コンピュータ可読媒体。
【請求項２０】
請求項１１記載の非一時的コンピュータ可読媒体において、前記リモート・システムが、前記第１ネットワーク・ノードとの無線通信から、セルラ・ネットワークの基地局との無線通信へと、前記モバイル・ネットワーク・ノードにおけるシームレスなハンドオーバを可能とする、非一時的コンピュータ可読媒体。
【請求項２１】
複数のネットワーク・ノードを備える移動物体のネットワーク内でモバイル・ネットワーク・ノードのハンドオーバを管理およびトリガする方法を実行するシステムであって、
前記複数のネットワーク・ノードと無線通信し、衛星ベースのナビゲーション受信機と通信し、車両が有する１つ以上のシステムと通信するように構成された１つ以上の通信インンタフェースと、
１つ以上のソフトウェア・アプリケーションおよびプログラム・データを格納するコンピュータ可読メモリと、
前記１つ以上の通信インタフェースおよび前記コンピュータ可読メモリに動作可能に結合された１つ以上のプロセッサであって、少なくとも、
前記モバイル・ネットワーク・ノードが、第１無線通信プロトコルを使用して、前記複数のネットワーク・ノードのうち第１ネットワーク・ノードとの第１関連付けを実行し、前記第１関連付けの結果、前記第１ネットワーク・ノードと、第１データ経路およびバックボーン・ネットワークの間にデータ接続性を提供するリモート・システムと、を接続する前記第１データ経路を生成し、
前記モバイル・ネットワーク・ノードの前記第１ネットワーク・ノードとの無線通信の損失の可能性を示す、前記モバイル・ネットワーク・ノードにおける少なくとも１つの条件の存在を判断し、
前記複数のネットワーク・ノードのうち第２ネットワーク・ノードを、前記モバイル・ネットワーク・ノードの１つ以上の特性と、前記第２ネットワーク・ノードの１つ以上の特性と、にしたがって識別し、
前記モバイル・ネットワーク・ノードが、前記第１無線通信プロトコルを使用して、前記第２ネットワーク・ノードとの第２関連付けを実行し、前記第２関連付けの結果、前記第１ネットワーク・ノードと前記第２ネットワーク・ノードと、を接続する第２データ経路を生成し、
前記モバイル・ネットワーク・ノードが、前記第２ネットワーク・ノード、前記第１ネットワーク・ノード、前記第１データ経路、および前記リモート・システムを介して、前記バックボーン・ネットワークに、および前記バックボーン・ネットワークから、データを無線で転送する、
ように動作可能である、１つ以上のプロセッサと、
を備える、システム。
【請求項２２】
請求項２１記載のシステムにおいて、
前記モバイル・ネットワーク・ノードの１つ以上の特性が、前記モバイル・ネットワーク・ノードの現在の地理的位置を含み、
前記第２ネットワーク・ノードの１つ以上の特性が、前記第２ネットワーク・ノードの現在の地理的位置を含む、システム。
【請求項２３】
請求項２１記載のシステムにおいて、前記モバイル・ネットワーク・ノードの１つ以上の特性が、前記モバイル・ネットワーク・ノードを搬送する車両の速度を含む、システム。
【請求項２４】
請求項２１記載のシステムにおいて、
前記モバイル・ネットワーク・ノードの１つ以上の特性が、前記モバイル・ネットワーク・ノードを搬送する車両によって移動されているルートを含み、
前記第２ネットワーク・ノードの１つ以上の特性が、前記第２ネットワーク・ノードの現在の地理的位置を含む、システム。
【請求項２５】
請求項２４記載のシステムにおいて、
前記車両が自律型車両であり、
前記移動されているルートが、前記自律型車両のナビゲーション・システムによって前記モバイル・ネットワーク・ノードに提供される、システム。
【請求項２６】
請求項２１記載のシステムにおいて、
前記第２ネットワーク・ノードおよび前記リモート・システムを接続する第３データ経路が、前記第２関連付けに応じて生成され、
前記第１データ経路および前記第２データ経路が、前記第３データ経路の生成の後に、接続解除される、システム。
【請求項２７】
請求項２１記載のシステムにおいて、前記第１ネットワーク・ノードが固定位置にあり、前記第２ネットワーク・ノードがモバイル・ネットワーク・ノードである、システム。
【請求項２８】
請求項２１記載のシステムにおいて、前記モバイル・ネットワーク・ノードにおける前記少なくとも１つの条件が、第１閾値未満である、前記第１ネットワーク・ノードから受信した信号を示す強度指標を含む、システム。
【請求項２９】
請求項２１記載のシステムにおいて、
前記モバイル・ネットワーク・ノードがエンド・ユーザ・デバイスとの無線通信をサポートし、
前記リモート・システムが、該リモート・システムを通じて接続される、対応するエンド・ユーザ・デバイスの地理的位置を監視する、システム。
【請求項３０】
請求項２１記載のシステムにおいて、前記リモート・システムが、前記第１ネットワーク・ノードとの無線通信から、セルラ・ネットワークの基地局との無線通信へと、前記モバイル・ネットワーク・ノードにおけるシームレスなハンドオーバを可能とする、システム。